(57)【要約】【課題】操作部材と従動部材とに固定されたコントロールケーブルの軸方向への移動拘束を小さな力で簡単に解除することができ、かつ、全体として小型なコントロールケーブルの長さ調整装置を提供する。【解決手段】棒状の係合軸１０と、その係合軸１０を軸方向移動可能に内挿するケース２０と、そのケース２０に回動可能に軸支された第１ロックピース３０および第２ロックピース４０と、その第１ロックピース３０および第２ロックピース４０の状態を保持するための保持部材５０とを備えているコントロールケーブルの長さ調整装置１。【選択図】図１
2012092931.tif 000002
【特許請求の範囲】
【請求項１】
軸部と、前記軸部の２つの面にそれぞれ設けられた複数の係合歯と、前記軸部の端部に設けられたコントロールケーブルとの連結部とを有する係合軸と、
支持部への取付部を有し、前記係合軸を軸方向移動可能に内挿するケースと、
第１回動軸と、前記軸部の一方の面の係合歯と係合する第１ロック歯とを有し、前記ケースに対して第１回動軸を軸に回動可能にしてケースに収容される第１ロックピースと、
第２回動軸と、前記軸部の他方の面の係合歯と係合する第２ロック歯とを有し、前記ケースに対して第２回動軸を軸に回動可能にしてケースに収容される第２ロックピースと、
前記第１ロック歯および前記第２ロック歯が前記係合歯との係合状態を保持するように、前記第１ロックピースおよび前記第２ロックピースにそれぞれ係止される保持部材とを備えた、
コントロールケーブルの長さ調整装置。
【請求項２】
前記第１ロックピースは、前記第１ロック歯から前記軸部を跨いで反対側に延び、前記ケースから一部が突出する第１操作部を有しており、
前記第２ロックピースは、前記第２ロック歯から前記軸部を跨いで反対側に延び、前記ケースから一部が突出する第２操作部を有している、
請求項１記載のコントロールケーブルの長さ調整装置。
【請求項３】
前記保持部材が一つの部材からなる、
請求項１または２に記載のコントロールケーブルの長さ調整装置。
【請求項４】
前記保持部材が線細工ばねである、
請求項３記載のコントロールケーブルの長さ調整装置。
【請求項５】
前記第１ロック歯と前記第２ロック歯が、前記軸部を挟んで向かい合うように配置されている、
請求項１、２、３または４に記載のコントロールケーブルの長さ調整装置。
【請求項６】
前記ケースが、前記第１操作部および前記第２操作部の回動を案内する案内部を備えている、
請求項２記載のコントロールケーブルの長さ調整装置。
【請求項７】
前記係合歯、前記第１ロック歯および前記第２ロック歯が、
前記係合歯と前記第１ロック歯または前記係合歯と前記第２ロック歯との係合を支持する支持面と、
前記係合歯と前記第１ロック歯または前記係合歯と前記第２ロック歯が前記支持面同士で係合するように誘導する誘導面とを備えた、
請求項１、２、３、４、５または６に記載のコントロールケーブルの長さ調整装置。
【発明の詳細な説明】
【技術分野】
【０００１】
本発明は、コントロールケーブルの長さ調整装置に関する。詳しくは、コントロールケーブルを車体等に取り付けるときに用いられるコントロールケーブルの長さ調整装置に関する。
【背景技術】
【０００２】
遠隔操作に用いられるインナーケーブルおよびアウターケーシングからなるコントロールケーブルにおいて、操作部材と従動部材とを連結するインナーケーブルの引き操作や押し引き操作の正確性を確保するため、インナーケーブルには張力を与える必要がある。そのため、コントロールケーブルを設置するとき、アウターケーシングを湾曲させて車体等の支持部に取り付け、その後、インナーケーブルの操作部材または従動部材への連結位置を変えることによって、インナーケーブルの長さを調整してインナーケーブルに張力を付与したり、アウターケーシングの車体等の支持部への取り付け位置を変えることによってアウターケーシングの配索長さを調整してインナーケーブルに張力を付与する方法が一般的に行われている。
このようなコントロールケーブルの長さを調整する装置として、特許文献１、２、３のようなものが知られている。
【先行技術文献】
【特許文献】
【０００３】
【特許文献１】実開平２−５６０９号公報
【特許文献２】特開２０１０−９１１０１号公報
【特許文献３】実開平２−１３６８０９号公報
【発明の概要】
【発明が解決しようとする課題】
【０００４】
しかし、コントロールケーブルの長さ調整装置においては、長さを調整した後の状態を保持するための保持部材の保持力を開放して再度調整を行うには大きな力が必要となり、また、狭い場所での調整作業が困難であるという課題がある。例えば、特許文献１、２では、スプリングを中軸と操作部レバー（特許文献１）または端末保持部材（特許文献２）の間に設けて保持力を保っているため、調整装置として嵩が張り、狭い場所などでは調整作業が困難であった。また、特許文献３は、車体等の保持部材（ブラケットに相当）に取り付けることにより長さを調整した後の状態の保持力を確保しており、ブラケットから取り外さないと調整作業が行えず、調整作業が煩雑であった。
本発明は、操作部材と従動部材とに固定されたコントロールケーブルの軸方向への移動拘束を小さな力で簡単に解除できるコントロールケーブルの長さ調整装置を提供することを目的としている。
【課題を解決するための手段】
【０００５】
本発明のコントロールケーブルの長さ調整装置は、軸部と、前記軸部の２つの面にそれぞれ設けられた複数の係合歯と、前記軸部の端部に設けられたコントロールケーブルとの連結部とを有する係合軸と、支持部への取付部を有し、前記係合軸を軸方向移動可能に内挿するケースと、第１回動軸と、前記軸部の一方の面の係合歯と係合する第１ロック歯とを有し、前記ケースに対して第１回動軸を軸に回動可能にしてケースに収容される第１ロックピースと、第２回動軸と、前記軸部の他方の面の係合歯と係合する第２ロック歯とを有し、前記ケースに対して第２回動軸を軸に回動可能にしてケースに収容される第２ロックピースと、前記第１ロック歯および前記第２ロック歯が前記係合歯との係合状態を保持
するように、前記第１ロックピースおよび前記第２ロックピースにそれぞれ係止される保持部材とを備えたことを特徴としている。
【発明の効果】
【０００６】
（１）本発明のコントロールケーブルの長さ調整装置は、係合軸の係合歯と係合する第１および第２ロック歯をそれぞれ有する第１および第２ロックピースをケースに回動可能に支持させているため、ロック歯と係合歯の係合状態を小さな力で解除することができる。
【０００７】
（２）第１ロックピースが第１ロック歯から軸部を跨いで反対側に延びてケースから一部が突出する第１操作部を有しており、第２ロックピースが第２ロック歯から軸部を跨いで反対側に延び、ケースから一部が突出する第２操作部を有している場合、突出した操作部の一部をケース内に押し込むという簡単な操作により、ロック歯と係合歯の係合状態を解除することができる。また、この場合、力点である操作部の支点からの距離をロックピースの幅方向から確保しており、ロックピースの調整装置全体への大きさの影響を一層小さくしている。さらに、片方の操作部だけを操作しても、第１ロックピースおよび第２ロックピースの両方のロック歯と係合歯の係合が解除されることがなく、係合状態を確実に維持できる。
（３）保持部材が一つの部材からなる場合、構造を簡単にすることができ、全体としての小型化が一層可能である。
（４）保持部材が線細工ばねである場合、操作部の操作後に再びロック歯と係合歯が係合するので、長さ調整作業が容易である。また、保持部材を設置するスペースを小さくすることができる。
（５）第１ロック歯と第２ロック歯が、軸部を挟んで向かい合うように配置されている場合、第１ロック歯および第２ロック歯の係合歯との係合が確実となり、その係合強度も向上する。
（６）ケースが第１操作部および第２操作部の回動を案内する案内部を備えている場合、ロックピースの回動操作が安定する。
（７）係合歯、第１ロック歯および第２ロック歯が、係合歯と第１ロック歯または係合歯と第２ロック歯との係合を支持する支持面と、係合歯と第１ロック歯または係合歯と第２ロック歯が支持面同士で係合するように誘導する誘導面とを備えている場合、第１ロック歯および第２ロック歯が係合歯と係合している状態であっても、係合軸を一方向へ移動させることができる。
【図面の簡単な説明】
【０００８】
【図１】図１ａ、ｂは、それぞれ本発明のコントロールケーブルの長さ調整装置の一実施形態を示す平面図、側面図であり、図１ｃは、本発明のコントロールケーブルの長さ調整装置が取り付けられる支持部の一例を示す正面図である。
【図２】図２ａ、ｂ、ｃは、それぞれ図１の装置に用いられる係合軸の正面図、側面図、Ｘ−Ｘ線断面図である。
【図３】図３ａ〜ｇは、それぞれ図１の装置に用いられるケースの平面図、側面図、正面図、Ｙ−Ｙ線断面図、Ｚ−Ｚ線断面図、Ｗ−Ｗ線断面図、Ｖ−Ｖ線断面図である。
【図４】図４ａ〜ｃは、それぞれ図１の装置に用いられる第１ロックピースの正面図、側面図、平面図であり、図４ｄは図４ａの一部拡大図である。
【図５】図５ａ〜ｃは、それぞれ図１の装置に用いられる第２ロックピースの正面図、側面図、平面図であり、図５ｄは図５ａの一部拡大図である。
【図６】図６は、図１の装置に用いられる保持部材の正面図である。
【図７】図７ａ、ｂは、それぞれ図１の装置の係合状態を示す平面図、断面図である。
【図８】図８ａ、ｂは、それぞれ図１の装置の解除状態を示す平面図、断面図である。
【発明を実施するための形態】
【０００９】
図１ａ、ｂに示すコントロールケーブルの長さ調整装置１（以下、調整装置１）は、棒状の係合軸１０と、その係合軸を軸方向移動可能に内挿するケース２０と、そのケースに回動可能に軸支され、前記ケース２０に収容された第１ロックピース３０および第２ロックピース４０と、前記ケース２０に収容され、第１ロックピース３０および第２ロックピース４０の状態を保持するための保持部材５０とを備えている。
【００１０】
係合軸１０は、図２ａ、ｂ、ｃに示すように、断面形状が長方形の軸部１１と、前記軸部の対面する２つの面にそれぞれ軸方向に列状に設けられた複数の第１係合歯１２、第２係合歯１３と、前記軸部の一方の端部に設けられたコントロールケーブルのアウターケーシングＯとの連結部１４とを有する。また、軸部１１には、軸方向に貫通し、コントロールケーブルのインナーケーブルＩを移動自在に通すインナー穴１５が形成されており、かつ、第１係合歯１２および第２係合歯１３が形成されていない対面する２つの面には軸方向に延びるガイド溝１６が形成されている。連結部１４は、アウターケーシングＯの端部に設けられるフランジ部Ｆ（図１参照）を固定する部位であり、環状に設けられ、軸方向に延びる複数（図１では４本）の脚１４ａと、その脚の端部に設けられ、半径方向内側に突出した係止部１４ｂとからなる。連結部１４は、アウターケーシングＯの端部を固定するものであれば、その構成は特に限定されるものではない。
第１係合歯１２および第２係合歯１３は、それぞれ軸部１１の軸方向に対して垂直な係合歯側支持面１２ａ、１３ａと、それぞれ軸部１１の軸方向に対して傾斜した係合歯側誘導面１２ｂ、１３ｂとを備えている。第１係合歯１２および第２係合歯１３は、軸部のそれぞれの面に直接形成されてもよく、歯が列状に設けられた平面体を軸部１１に固定することにより構成してもよい。
【００１１】
本実施形態の係合軸１０は、軸部１１の断面形状が四角形であるが、他の多角形、円形、楕円形等であってもよい。円形、楕円形の場合は、第１係合歯および第２係合歯が軸心を中心にして角度（例えば、１８０度）を変えて別々の位置に設けられる。また、本実施形態では第１係合歯１２および第２係合歯１３は相対する面に設けられているが、隣り合う面に設けてもよく、多角形の場合でも、少なくとも２つの面に設けられればよい。少なくとも２つの方向から係合軸を係止することにより、ロックピースとの係合力が向上する。しかし、本実施形態のように、相対する面（軸中心で１８０度）の場合がもっとも係合力が高く、係合軸を確実に保持できる。
【００１２】
ケース２０は、図３ａ〜ｇに示すように、相対する一対の側面が貫通して開放されている直方体のものであり、上部に設けられ、車体等の支持部Ｕ（図１ｃ参照）へ連結される取付部２１と、上下方向に設けられ、前記係合軸１０を軸方向移動可能に内挿する中心孔２２と、前面２３および後面２４にそれぞれ形成された後述するロックピースの回動軸を受ける軸受け２５と、底面２４ａに形成され、係合軸１０を支持し、かつロックピースの回動を規制する支持突起２６と、中心孔２２に形成され、係合軸１０のガイド溝１６と係合するガイド突起２７と、前面２３および後面２４にそれぞれ形成された後述する第１ロックピース３０の第１操作部３４および第２ロックピース４０の第２操作部４４の回動を案内する第１案内部２８および第２案内部２９とを備えている。
【００１３】
軸受け２５は、図３ｃおよび図３ｄに示すようにそれぞれ前面２３および後面２４に左右対称に形成され、後述するロックピースの回動軸を挿入する挿入部２５ａと、その回動軸を回転自在に受ける支持部２５ｂとを有し、前面２３と後面２４の一対で一つのロックピースの回動軸を支持する。しかし、回転軸を回動自在に支持できる構造であれば、その構造は特に限定されるものではない。
【００１４】
支持突起２６は、図３ｄに示すように底面２４ａから上方に延びるように左右対称に形成され、係合軸１０の移動を支持する軸支持面２６ａと、ロックピースの回動を規制する規制面２６ｂとを有している。
【００１５】
第１案内部２８は、後述する第１ロックピースの第１操作部３４の第１段部３４ａを受け入れるように、後面２４との間で第１案内溝２８ａを形成する断面Ｌ字型のものであり、第１ロックピースの第１操作部３４の回動をガイドする（図３ｂ、ｃ、ｄ参照）。また、第２案内部２９は、第１案内部２８に対して中心孔２２を挟んで対称となるように前面２３に形成されており、後述する第２ロックピースの第２操作部４４の第２係止突起４５を受け入れるように、前面２３との間で第２案内溝２９ａを形成する断面Ｌ字型のものであり、第２ロックピースの第２操作部４４の回動をガイドする。
【００１６】
第１ロックピース３０は、図４ａ〜ｃに示すように、前記ケース２０の軸受け２５に対して回動可能に係止される第１回動軸３１と、第１回動軸３１から第１回動軸３１の軸方向に対して垂直方向に下方へ延びる第１支持板３２と、第１支持板３２の一方の面（図４ａでは右側の面）の中央付近から下側に形成され、前記係合軸１０の軸部１１の第１係合歯１２と係合する第１ロック歯３３と、前記第１支持板３２に対して垂直方向に、かつ、前記第１ロック歯３３の横側（図４ｂの右側）に第１支持板３２から延びる第１操作部３４と、前記第１支持板３２から更に下方に延びる第１係止突起３５と、前記第１支持板３２に対して垂直方向に、かつ、前記第１支持板３２を挟むように前記第１回動軸から突出した一対の第１ガイド凸部３６を備えている。
【００１７】
第１ロック歯３３は、図４ｄに示すように、第１支持板３２の延びる方向に対して垂直な第１ロック歯側支持面３３ａと、第１支持板部３２の延びる方向に対して傾斜した第１ロック歯側誘導面３３ｂとから構成されている。この第１ロック歯３３と第１係合歯１２との係合状態は、第１ロック歯側誘導面３３ｂと第１係合歯側誘導面１２ｂとが当接した状態と、第１ロック歯側支持面３３ａと第１係合歯側支持面１２ａとが当接した状態とからなる。第１ロック歯側支持面３３ａと第１係合歯側支持面１２ａとが当接しない位置で係合しても、第１ロック歯側誘導面３３ｂと第１係合歯側誘導面１２ｂは、それぞれ摺動して前記第１ロック歯側支持面３３ａと第１係合歯側支持面１２ａとが当接するように誘導する。そして、第１ロック歯側支持面３３ａと第１係合歯側支持面１２ａが当接することによって第１ロック歯３３および第１係合歯１２のそれぞれの支持面（３３ａ、１２ａ）方向の移動が規制される。このように第１ロック歯３３と第１係合歯１２とは、ラチェット構造を構成している。
【００１８】
第１操作部３４の前記第１支持板３２と反対側の縁部の下方には、第１操作部３４よりも一段低く形成された第１段部３４ａが設けられ、第１ロックピース３０が回動する際、前述したケース２０の第１案内部２８の第１案内溝２８ａに収容されて摺動し、第１ロックピース３０の回動を案内する。
【００１９】
第１係止突起３５は、前記ケース２０の規制面２６ｂと係合する第１当接部３５ａを有し、かつ、前記第１支持板３２の第１ロック歯３３が形成された面と反対側（図４ａの左側）に突出した第１突出部３５ｂを有しており、前記第１突出部３５ｂと前記第１支持板３２との間で前記保持部材５０を係止する第１係止溝３７を形成するようになっている。第１当接部３５ａと第１突出部３５ｂとは、第１突出部３５ｂが第１操作部３４側（図４ｂの右側）となるように、第１支持板３２の下端で隣り合うように形成されている。
【００２０】
第２ロックピース４０は、図５ａ〜ｃに示すように、ケース２０の軸受け２５に回動可能に係止される第２回動軸４１と、第２回動軸４１から第２回動軸４１の軸方向に対して垂直方向に下方へ延びる第２支持板４２と、第２支持板４２の一方の面（図５ａでは右側
の面）の中央付近から下側に形成され、前記係合軸１０の軸部１１の第２係合歯１３と係合する第２ロック歯４３と、前記第２支持板４２に対して垂直方向に、かつ、前記第２ロック歯４３の横側（図５ｂの右側）に第２支持板４２から延びる第２操作部４４と、前記第２支持板４２から更に下方に延びる第２係止突起４５と、前記第２支持板４２に対して垂直方向に、かつ、前記第２支持板４２を挟むように前記第１回動軸から突出した一対の第２ガイド凸部４６を備えている。
【００２１】
第２ロック歯４３は、図５ｄに示すように、第２支持板４２の延びる方向に対して垂直な第２ロック歯側支持面４３ａと、第２支持板４２の延びる方向に対して傾斜した第２ロック歯側誘導面４３ｂとから構成されている。この第２ロック歯４３と第２係合歯１３との係合状態は、第２ロック歯側誘導面４３ｂと第２係合歯側誘導面１３ｂとが当接した状態と、第２ロック歯側支持面４３ａと第２係合歯側支持面１３ａとが当接した状態とからなる。第２ロック歯側支持面４３ａと第２係合歯側支持面１３ａとが当接しない位置で係合しても、第２ロック歯側誘導面４３ｂと第２係合歯側誘導面１３ｂは、それぞれ摺動して前記第２ロック歯側支持面４３ａと第２係合歯側支持面１３ａとが当接するように誘導する。そして、第２ロック歯側支持面４３ａと第２係合歯側支持面１３ａが当接することによって第２ロック歯４３および第２係合歯１３のそれぞれの支持面（４３ａ、１３ａ）方向の移動が規制される。このように第２ロック歯４３と第２係合歯１３とは、ラチェット構造を構成している。
【００２２】
第２操作部４４の前記第２支持板４２と反対側の縁部の下方には、第２操作部４４よりも一段低く形成された第２段部４４ａが設けられ、第２ロックピース４０が回動する際、前述したケース２０の第２案内部２９の第２案内溝２９ａに収容されて摺動し、第２ロックピース４０の回動を案内する。
【００２３】
第２係止突起４５は、前記ケース２０の規制面２６ｂと係合する第２当接部４５ａを有し、かつ、前記第２支持板４２の第２ロック歯４３が形成された面と反対側（図５ａの左側）に突出した第２突出部４５ｂを有しており、前記第２突出部４５ｂと前記第２支持板４２との間で前記保持部材５０を係止する第２係止溝４７を形成するようになっている。第２当接部４５ａと第２突出部４５ｂとは、第２当接部４５ａが第２操作部４４側（図５ｂの右側）となるように、第２支持板４２の下端で隣り合うように形成されている。なお、第１ロックピース３０と第２ロックピース４０とは、この第２当接部４５ａと第２突出部４５ｂとの位置関係が異なるだけで、他の形状は同一である。
【００２４】
保持部材５０は、図６に示すように、開口を有する略Ｃ字状に形成した線細工ばねからなる一つの部材であり、前記第１ロックピース３０の第１係止溝３７に係止される第１保持部５１と、前記第２ロックピース４０の第２係止溝４７に係止される第２保持部５２と、前記第１保持部５１と前記第２保持部５２をつなぐ連結部５３とから構成されている。
【００２５】
第１保持部５１および第２保持部５２は、その開口側端部が向かい合うように第１掛止部５１ａおよび第２掛止部５２ａが形成されており、それぞれ第１ロックピース３０の第１係止突起３５および第２ロックピース４０の第２係止突起４５に掛止される。このように保持部材５０を第１ロックピース３０および第２ロックピース４０に取り付けることにより、第１ロックピース３０と第２ロックピース４０を係合軸１０方向に付勢する。
保持部材５０は、一つの部材とすることで、構造を簡単にすることができ、保持部材を設置するスペースも小さくすることができるが、その機能を有すれば二つ以上の部材としてもよい。また、ロックピースを係合軸側に付勢できるものであれば、線細工ばね以外を用いてもよい。
【００２６】
次に図７および図８を用いて、本装置の長さ調整作業について説明する。図７ａ、図７
ｂは係合軸１０の係合歯とロックピースのロック歯が支持面同士で支持されたロック状態を示している。
【００２７】
第１ロックピース３０は、第１回動軸３１がケース２０の軸受２５に係止され、第１操作部３４が第１ロック歯３３から係合軸１０の軸部１１を跨いで反対側に延び、ケース２０から一部（先端）が突出するように配置されている。一方、第２ロックピース４０は、第２回動軸４１がケース２０の軸受２５に係止され、第２操作部４４が第２ロック歯４３から係合軸１０の軸部１１を跨いで反対側に延び、ケース２０から一部が突出するように配置されている。また、保持部材５０は、第１ロック歯３３が前記係合軸１０の第１係合歯１２と係合し、第２ロック歯４３が前記係合軸１０の第２係合歯１３と係合する状態を保持するように、第１保持部５１が第１ロックピース３０の第１係止溝３７に係止され、第１掛止部５１ａが第１ロックピース３０の第１係止突起３５に掛止されている。一方、第２保持部５２が第２ロックピース４０の第２係止溝４７に係止され、第２掛止部５２ａが第２ロックピース４０の第２係止突起４５に掛止されている。
【００２８】
このロック状態のとき、係合軸１０の第１係合歯１２の第１係合歯側支持面１２ａと第１ロックピース３０の第１ロック歯３３の第１ロック歯側支持面３３ａが係合しており、係合軸１０の第１係合歯１２の第１係合歯側誘導面１２ｂと第１ロックピース３０の第１ロック歯３３の第１ロック歯側誘導面３３ｂが係合しているため、係合軸１０はケース２０に対して上方向に移動できないようになっている。また、保持部材５０が第１ロックピース３０および第２ロックピース４０を係合軸１０から離れる方向に回動しないように保持している。前記第１ロック歯３３と前記第２ロック歯４３が、前記係合軸１０の軸部１１を挟んで向かい合うように配置されているため、第１ロック歯３３と第１係合歯１２および第２ロック歯４３と第２係合歯１３との係合が確実となり、その係合強度も向上する。
【００２９】
次に、ロック状態からアンロック状態にする場合には、図８に示すように、ケース２０から突出している第１ロックピース３０の第１操作部３４の先端および第２ロックピース４０の第２操作部４４の先端を、保持部材５０の保持力に抗してケース２０の中に収容される方向に押し込む。すると、第１ロックピース３０および第２ロックピース４０が係合軸１０から離れる方向に回動するのに伴い、第１ロックピース３０の第１ロック歯３３と係合軸１０の第１係合歯１２との係合が外れ、また、第２ロックピース４０の第２ロック歯４３と係合軸１０の第２係合歯１３との係合が外れることでアンロック状態となる。このとき、第１ロックピース３０の第１操作部３４の第１段部３４ａがケース２０の第１案内部２８の第１案内溝２８ａを摺動し、第２ロックピース４０の第２操作部４４の第２段部４４ａがケース２０の第２案内部２９の第２案内溝２９ａを摺動するため、第１ロックピース３０および第２ロックピース４０の回動操作が安定する。
【００３０】
次に、係合軸１０をケース２０に対して軸方向に移動させて、アウターケーシングＯが所望の長さになるように調整する。アウターケーシングＯが所望の長さになったところで、第１ロックピース３０の第１操作部３４の先端および第２ロックピース４０の第２操作部４４の先端のケース２０の中への押し込みを解除する。すると、保持部材５０の保持力により、第１ロックピース３０および第２ロックピース４０が係合軸１０へ近づく方向に回動するのに伴い、第１ロックピース３０の第１ロック歯３３の第１ロック歯側誘導面３３ｂと係合軸１０の第１係合歯１２の第１係合歯側誘導面１２ｂが接触し、また第２ロックピース４０の第２ロック歯４３の第２ロック歯側誘導面４３ｂと係合軸１０の第２係合歯１３の第２係合歯側誘導面１３ｂが接触する。このとき、第１ロック歯側誘導面３３ｂと第１係合歯側誘導面１２ｂ並びに第２ロック歯側誘導面４３ｂと第２係合歯側誘導面１３ｂは、共に支持面から下に向かうにつれて傾斜しているため、保持部材５０の保持力により支持面同士が係合するように誘導面同士が摺動する。そして、支持面同士が係合した
ところでロックが完了する。
【００３１】
この第１ロックピース３０および第２ロックピース４０において、ケース２０から突出する操作部の先端が力点となり、回動軸が支点となり、保持部材５０が係合する係止突起が作用点となり、それぞれ力点、支点、作用点がほぼ正三角形の頂点に配置されていることになる。つまり、支点と作用点を結んだ線に対して垂直な線上に力点を配置することにより、力点、支点、作用点を同一直線上に配置したときに比べて、その長さを小さくすることができる。また、幅を大きくすることによって、作用点に発生するモーメント力を大きくすることができる。これにより、ロック歯と係合歯の係合状態を小さな力で解除することができる。一方、力点の位置によってその幅は大きくなるが、操作部をロック歯から係合軸の軸部を跨いで反対側に延びるように配置することで、操作部を係合軸の軸部と重ねることにより、幅の大きさを吸収させることができる。
【００３２】
また、操作部をケース内に押し込むという簡単な操作により、ロック歯と係合歯の係合状態を解除することができ、操作部の操作後に再びロック歯と係合歯が係合するので、長さ調整作業が容易である。しかも、片方の操作部だけを操作しても、第１ロックピース３０および第２ロックピース４０の両方のロック歯と係合歯の係合が解除されることがなく、係合状態を確実に維持できる。
【００３３】
さらに、第１ロック歯３３と第１係合歯１２および第２ロック歯４３と第１係合歯１３とはラチェット機構を構成しているため、第１ロックピース３０の第１操作部３４の先端および第２ロックピース４０の第２操作部４４の先端を、保持部材５０の保持力に抗してケース２０の中に収容される方向に押し込むことなく、係合軸１０をアウターケーシングＯの配索長さが短くなる方向に移動させることで、保持部材５０によって保持されている第１ロックピース３０の第１ロック歯側誘導面３３ｂと第１係合歯側誘導面１２ｂ、および第２ロックピース４０の第２ロック歯側誘導面４３ｂと第２係合歯側誘導面１３ｂが摺動しながら、保持部材５０の保持力に抗して第１ロック歯３３および第２ロック歯４３が外側に開き、続いて第１ロックピース３０の第１ロック歯側支持面３３ａと第１係合歯側支持面１２a、および第２ロックピース４０の第２ロック歯側支持面４３ａと第２係合歯
側支持面１３ａとが係合する。このように調整装置１は、アウターケーシングＯの配索長さを縮める操作を許し、アウターケーシングＯの配索長さを長くする操作が規制される。
【００３４】
なお、本実施形態では係合軸１０の連結部１４をアウターケーシングＯの端部に固定することで、アウターケーシングＯの配索長さを調整したが、係合軸の連結部１４をインナーケーブルＩの端部に固定することで、インナーケーブルＩの配索長さを調整してもよい。
【符号の説明】
【００３５】
１    コントロールケーブルの長さ調整装置（調整装置）
１０  係合軸
１１  軸部
１２  第１係合歯
１３  第２係合歯
１４  連結部
２０  ケース
２１  取付部
３０  第１ロックピース
３１  第１回動軸
３３  第１ロック歯
４０  第２ロックピース
４１  第２回動軸
４３  第２ロック歯
５０  保持部材
【図１】
2012092931.tif 000003
【図２】
2012092931.tif 000004
【図３】
2012092931.tif 000005
【図４】
2012092931.tif 000006
【図５】
2012092931.tif 000007
【図６】
2012092931.tif 000008
【図７】
2012092931.tif 000009
【図８】
2012092931.tif 000010